(57)【特許請求の範囲】
【請求項１】
所定距離離隔して設置された複数個のレーザー光源装置を備え、前記レーザー光源装置から放出されるレーザー光は１本又は複数本の束であり、前記複数個のレーザー光源装置は夫々から放出される前記レーザー光が同一の鳥獣に少なくとも２方向から照射可能に構成され、前記夫々から放出されるレーザー光が互いに交差又は平面視で互いに交差するように構成されていることを特徴とする鳥獣忌避装置。
【請求項２】
前記複数個のレーザー光源装置のうち、少なくとも２個のレーザー光源装置は、それぞれ異なる色のレーザー光源を備えることを特徴とする請求項１に記載の鳥獣忌避装置。
【請求項３】
前記複数個のレーザー光源装置のうち、少なくとも１個のレーザー光源装置は、複数色のレーザー光源を備えることを特徴とする請求項１に記載の鳥獣忌避装置。
【請求項４】
前記複数個のレーザー光源装置のうち、少なくとも１個のレーザー光源装置からは、複数本のレーザー光が放出され、複数本のレーザー光の束は回転可能であることを特徴とする請求項１から３うちいずれか１項に記載の鳥獣忌避装置。
【請求項５】
前記複数個のレーザー光源装置を所定の長さの保持部材で連結したことを特徴とする請求項１から４うちいずれか１項に記載の鳥獣忌避装置。
【請求項６】
鳥獣の光が直接当たっていない目又は光が直接当たっている目の光が直接当たっていない部分にレーザー光を照射することを特徴とする鳥獣忌避方法。
【請求項７】
１本又は複数本の束であるレーザー光を少なくとも２方向から互いに交差又は平面視で互いに交差するように放出して、鳥獣に少なくとも２方向から前記レーザー光を照射することを特徴とする鳥獣忌避方法。
【請求項８】
少なくとも光が直接当たっていない目又は光が直接当たっている目の光が直接当たっていない部分にレーザー光を照射することを特徴とする請求項７に記載の鳥獣忌避方法。
【請求項９】
２方向からのレーザー光でそれぞれ鳥獣の別の目を照射することを特徴とする請求項７又は８に記載の鳥獣忌避方法。
【請求項１０】
少なくとも２方向からのレーザー光を異なる色とすることを特徴とする請求項７から９うちいずれか１項に記載の鳥獣忌避方法。
【請求項１１】
少なくとも１方向からのレーザー光は複数色のレーザー光であることを特徴とする請求項７から１０のうちいずれか１項に記載の鳥獣忌避方法。
【請求項１２】
少なくとも１方向からのレーザー光は、複数本のレーザー光の束を回転させることを特徴とする請求項７から１１のうちいずれか１項に記載の鳥獣忌避方法。
【発明の詳細な説明】
【技術分野】
【０００１】
本発明は、鳥獣忌避装置及び鳥獣忌避方法に関し、特にレーザー光を用いた鳥獣忌避装置及び鳥獣忌避方法に関する。
【背景技術】
【０００２】
従来から、図５に示すように、鳥獣９を追い払うために、１個のレーザー光源６１から放出される１本のレーザー光６２を用いた鳥獣忌避装置６０及び鳥獣忌避方法が利用されている。そして、このような鳥獣を追い払うための装置として、１個のレーザー光源から放出される１本のレーザー光を用いた装置が提案されていると共に、鳥獣の防除機能を広い範囲にわたりカバーさせるために、レーザー光を広角に振らせて、同一平面内で拡散させる技術が提案されている（特許文献１）。
【０００３】
又、１個の半導体レーザー発振器をレーザー光源とし、レーザー光源から出る１本の点状（直線状）のレーザー光を、ロッドレンズによりシート状の光線にして、照射対象面にはライン状に現れる技術が提案されている（特許文献２）。
【０００４】
又、レーザー光を用いるものではないが、ビーム状の光を放射する光源を環状に複数個配置し、それら光源は、その本体中心付近に向けて内向き又は外向きに少し角度をつけた状態で取り付けられ、放射状に光を放射する装置が提案されている（特許文献３）。
【先行技術文献】
【特許文献】
【０００５】
【特許文献１】特開平６−２３３６４４号公報
【特許文献２】登録実用新案第３１９８６７６号公報
【特許文献３】登録実用新案第３２０２２０５号公報
【発明の概要】
【発明が解決しようとする課題】
【０００６】
しかし、特許文献１の技術のように１個のレーザー光源から出る１本のレーザー光を用いた場合、１方向のみからのレーザー光が照射され、鳩、烏、ムクドリ等の鳥に対しては、曇りの日や夕暮れ時には効果があるが、昼間、太陽が当たっている状況では殆ど効果がなかった。これは、鳥にとって、太陽の明るさのなかではレーザー光の眩しさが埋没してしまうからと考えられる。
【０００７】
又、特許文献１の技術のように１個のレーザー光源から出る１本のレーザー光を広角に振らせて、同一平面内で拡散させたり、特許文献２の技術のようにレーザー光源から出る１本の点状（直線状）のレーザー光を、ロッドレンズによりシート状の光線にして、照射対象面にはライン状にした場合であっても、１方向のみからのレーザー光が照射され、やはり、曇りの日や夕暮れ時には効果があるが、昼間、太陽が当たっている状況では殆ど効果がなかった。
【０００８】
そして、特許文献３の技術のようにビーム状の光を放射する光源を環状に複数個配置して放射状に光を放射する装置は、光源が複数個配置されているものの、環状の縁の直径が３〜１０センチメートルと小さい１個の装置で構成されているので、この装置から出る光は１個の光源から放射状に出る光と同等であり、１方向のみからのレーザー光が照射され、やはり、曇りの日や夕暮れ時には効果があるが、昼間、太陽が当たっている状況では殆ど効果がなかった。
【０００９】
そこで、曇りの日や夕暮れ時にはもちろん、昼間に鳥獣に太陽等が当たっている状況又は他の眩しい光が当たっている状況においても、鳥獣を確実、且つ容易に追い払うことを目的とする。
【課題を解決するための手段】
【００１０】
以上のような課題を解決するための手段としての本発明は、所定距離離隔して設置された複数個のレーザー光源装置を備え、前記複数個のレーザー光源装置は夫々から放出されるレーザー光が同一の鳥獣に照射可能に構成されていることを特徴とする鳥獣忌避装置である。
【００１１】
又、上記鳥獣忌避装置において、前記複数個のレーザー光源装置のうち、少なくとも２個のレーザー光源装置は、それぞれ異なる色のレーザー光源を備える鳥獣忌避装置である。
【００１２】
又、上記鳥獣忌避装置において、前記複数個のレーザー光源装置のうち、少なくとも１個のレーザー光源装置は、複数色のレーザー光源を備える鳥獣忌避装置である。
【００１３】
又、上記鳥獣忌避装置において、前記複数個のレーザー光源装置のうち、少なくとも１個のレーザー光源装置からは、複数本のレーザー光が放出され、複数本のレーザー光の束は回転可能である鳥獣忌避装置である。
【００１４】
又、上記鳥獣忌避装置において、前記複数個のレーザー光源装置を所定の長さの保持部材で連結した鳥獣忌避装置である。
【００１５】
又、鳥獣の光が直接当たっていない目又は光が直接当たっている目の光が直接当たっていない部分にレーザー光を照射することを特徴とする鳥獣忌避方法である。
【００１６】
又、鳥獣に少なくとも２方向からレーザー光を照射することを特徴とする鳥獣忌避方法である。
【００１７】
又、上記鳥獣忌避方法において、少なくとも光が直接当たっていない目又は光が直接当たっている目の光が直接当たっていない部分にレーザー光を照射する鳥獣忌避方法である。
【００１８】
又、上記鳥獣忌避方法において、２方向からのレーザー光でそれぞれ鳥獣の別の目を照射する鳥獣忌避方法である。
【００１９】
又、上記鳥獣忌避方法において、少なくとも２方向からのレーザー光を異なる色とする鳥獣忌避方法である。
【００２０】
又、上記鳥獣忌避方法において、少なくとも１方向からのレーザー光は複数色のレーザー光である鳥獣忌避方法である。
【００２１】
又、上記鳥獣忌避方法において、少なくとも１方向からのレーザー光は、複数本のレーザー光の束を回転させる鳥獣忌避方法である。
【００２２】
又、上記鳥獣忌避方法において、少なくとも１本のレーザー光を点滅させる鳥獣忌避方法である。
【発明の効果】
【００２３】
以上のような本発明によれば、曇りの日や夕暮れ時にはもちろん、昼間に鳥獣に太陽等が当たっている状況又は他の眩しい光が当たっている状況においても、鳥獣を確実、且つ容易に追い払うことが可能となった。
【図面の簡単な説明】
【００２４】
【図１】本発明実施例使用状態図
【図２】本発明実施例使用状態図
【図３】本発明実施例使用状態図
【図４】本発明実施例使用状態図
【図５】従来技術を示す図
【発明を実施するための形態】
【００２５】
本発明は、所定距離離隔して設置された複数個のレーザー光源装置を備えて構成される鳥獣忌避装置である。以下本発明の実施の形態を図を参照して説明する。図１に示すように、鳥獣忌避装置１は、所定距離離隔して設置された２個のレーザー光源装置２を備え、夫々のレーザー光源装置２はレーザー発振器で構成されるレーザー光源３を１個備えて構成されている。
【００２６】
又、２個のレーザー光源装置２は、夫々から放出されるレーザー光７が互いに交差又は平面視で互いに交差するように構成されている。レーザー光７が互いに交差せずに、平面視で互いに交差する場合でも、その交差部分において２本のレーザー光７の離隔距離は、鳥獣の両目又は片目に２本のレーザー光７が別々に照射可能な距離としている。このような構成として、２個のレーザー光源装置２が延長線上で交差又は平面視で交差するように互いの方向に傾けている構成を用いることが出来るが、２個のレーザー光源装置２が夫々備えるレーザー光源３が延長線上で交差又は平面視で交差するように互いの方向に傾けている構成や、夫々のレーザー光源３は平行であるが、何れか又は両方のレーザー光源装置２に、図示しないレンズや回析光学素子（ＤＯＥ）を設置してレーザー光を屈折させる構成を採用することが出来る。
【００２７】
このような構成であるので、追い払う対象の１個の鳥獣９に二方向からレーザー光を照射すること、言い換えれば、鳥獣に対して異なる角度からレーザー光を当てることが可能となっている。そして、鳥獣９に二方向からレーザー光を照射することが可能となっているので、追い払う対象の鳥獣の両目９１，９２を同時にレーザー光７で照射して刺激すること、或いは鳥獣の片目を同時に二方向からのレーザー光で照射して刺激すること、即ち、鳥獣の両目又は片目に同時に異なる角度からレーザー光を当てること、更に、鳥獣の片眼に照射された一方からのレーザー光を鳥獣が避けようと目、頭、体を動かしてもその片目又は他方の目に他方からのレーザー光が照射されることが可能となっている。
【００２８】
鳥は太陽等の眩しい光の方向には片目だけを向けていることが多く、鳥獣にとっては太陽等の眩しい光の明るさのなかではレーザー光の眩しさが埋没してしまうと考えられ、太陽５の太陽光５０等の眩しい光が直接当たっていない方の目９２にレーザー光が照射されると、或いは太陽光等の眩しい光が直接当たっている方の目９１であっても、太陽光等の光が直接当たっていない部分９１１にレーザー光が照射されると、鳥獣はとても嫌がる。
【００２９】
従って、追い払う対象の１個の鳥獣９に二方向からレーザー光７を照射すること、そして鳥獣９の両目９１，９２を同時に或いは鳥獣の片目を同時に二方向からのレーザー光で照射して刺激することにより、標的とする鳥獣を追い払う効果が高くなる。１方向からのレーザー光の照射の場合、たとえ広範囲に拡散させたり、シート状の光にしたりしても、鳥獣の両目を同時に刺激すること、或いは鳥獣の片目を同時に二方向から刺激することは出来ない。
【００３０】
２個のレーザー光源装置２は、横方向の同一平面上に位置するように配置されているが、追い払うべき１個の鳥獣９に、２個のレーザー光源装置２からのレーザー光７で二方向からレーザー光７を照射することができれば、その配置は特に限定されない。２個のレーザー光源装置２からの夫々のレーザー光７が、鳥獣９の両目９１，９２を同時に或いは鳥獣の片目を同時に二方向から刺激することが容易に可能なように、２個のレーザー光源装置２からの夫々のレーザー光７が１本である場合にはレーザー光７が同一平面上に位置するように２個のレーザー光源装置２が設置されることが好ましい。図２に示すように、２個のレーザー光源装置２からの夫々のレーザー光７が複数本の場合には、それらのレーザー光７の束７０が交差するように２個のレーザー光源装置２が設置されることが好ましい。
【００３１】
上述のように、夫々のレーザー光源装置２から放出されるレーザー光７が追い払う対象の１個の鳥獣９の両目９１，９２を夫々同時に或いは鳥獣の片目を同時に二方向から刺激することにより、鳥獣忌避の効果が高くなるので、２個のレーザー光源装置２が離隔する距離Ｗは、２個のレーザー光源装置２から放出されるレーザー光７が、追い払う対象の１個の鳥獣９に２方向から照射される距離とする。このような範囲であれば２個のレーザー光源装置２間の距離Ｗは限定されず、追い払う対象の鳥獣９との距離に対応して決定することが出来る。一例として、鳥獣９との距離が５ｍ〜３０ｍ程度の場合には、レーザー光源装置２間の距離Ｗは４０ｃｍ〜２００ｃｍ程度、好ましくは５０ｃｍ〜１５０ｃｍ、鳥獣９との距離が１Ｋｍ〜２Ｋｍ程度の場合には、レーザー光源装置２間の距離Ｗは１０ｍ〜２０ｍ程度とすることが出来る。又、レーザー光７が平面視で交差する角度は特に限定されない。
【００３２】
尚、図示はしないが、レーザー光７の角度を変化させることが可能な機構を設けることとしてもよく、又、レーザー光源装置２の角度を変化させることが可能な機構を設けることとしてもよい。
【００３３】
レーザー光源装置２は、レーザー発振器で構成されるレーザー光源３を１個備えて構成されているが、複数個のレーザー光源を備える構成としてもよい。複数個のレーザー光源を備えることにより、図２に示すように、レーザー光源装置２から複数本のレーザー光７を放出することが出来る。尚、図においてレーザー光７は放射状に広がっているが、互いに平行に放出されてもよい。
【００３４】
レーザー光源３は、追い払う対象の鳥獣の種類によりその鳥獣の種類が最も嫌う波長の光を放出するレーザー発振器を用いることが望ましい。そして、レーザー光源３は、可視光線レーザーが用いられるが、紫外線レーザーや赤外線レーダーを用いることとしてもよい。又、レーザー発振器に用いられる媒体は、特に限定されず、半導体レーザー等を用いることが出来る。又、発振方式も特に限定されず、断続的にレーザー光を出すパルスレーザーや連続的にレーザー光を出すＣＷレーザーを用いることが出来る。
【００３５】
レーザー光源装置２から放出されるレーザー光７は、連続的に放出される構成でもよいが、レーザー光を点滅させることにより、鳥獣がより嫌がり、追い払う効果が高まるので、パルスレーザーを用いたり、間欠的にオンオフを行うこと等により、点滅可能に構成することが好ましい。
【００３６】
レーザー光源装置２は、１色のレーザー光源を備える構成としてもよいが、複数個のレーザー光源を備える場合には、より効果的に鳥獣を追い払うために、複数色のレーザー光源を備えることが好ましい。又、一方のレーザー光源装置２は１色のレーザー光源を備え、他方のレーザー光源装置２は複数色のレーザー光源を備える構成としてもよい。レーザー光の色は特に限定されず、赤、緑、青等を使用することが出来るが、追い払う対象の鳥獣が最も嫌う色を用いることが望ましい。
【００３７】
２個のレーザー光源装置２は、同じ色のレーザー光源を備える構成としてもよいが、それぞれ異なる色のレーザー光源を備える構成としてもよい。又、少なくとも一方のレーザー光源装置が複数個のレーザー光源を備える場合、他方のレーザー光源装置と一部のレーザー光源又は全部のレーザー光源を異なる色としてもよい。
【００３８】
レーザー光源装置２には、図示はしないが、レーザー光源から発せられるレーザー光を分割、分岐等する回析光学素子（ＤＯＥ）や、レーザー光を拡散させるレンズを設置することとしてもよい。回析光学素子（ＤＯＥ）を備えることで、図２に示すように、レーザー光源装置２から複数本のレーザー光７を放出することが出来る。尚、図においてレーザー光７は放射状に広がっているが、互いに平行に放出されてもよい。又、ＤＯＥやレンズは固定してもよいが、電気式モータ等の回転機構と連結して回転可能に設置する構成としてもよい。このような構成とすることで、図３に示すように、複数本のレーザー光７の束７０や拡散したレーザー光を、矢印Ｄで示すように、レーザー光７の束７０の直進方向を軸として回転させることが出来る。尚、図３では、一方のレーザー光７の束７０のみに矢印Ｄが記載されているが、両方のレーザー光７の束７０を回転させる構成としてもよい。
【００３９】
２個のレーザー光源装置２はそれぞれ独立して連結されない構成としてもよいが、図示はしないが、所定の長さの保持部材で連結された構成としてもよい。又、運搬の便利のために、保持部材は伸縮可能又は折り畳み可能であることが好ましい。
【００４０】
又、図示はしないが、レーザー光源装置２及び保持部材を支持する支持脚を備える構成としてもよい。支持脚は伸縮可能又は折り畳み可能であることが好ましい。保持部材は直線状でもよいが、屈曲していてもよい。支持脚はレーザー光源装置２及び保持部材を独立して支持可能な構成、即ち鳥獣忌避装置１が自立可能な構成としてもよいが、１脚等を用いて補助的に支持する構成としてもよい。
【００４１】
又、図示はしないが、鳥獣忌避装置１には、センサーを設けて、センサーにより鳥獣の存在を把握した際に、スイッチがオンされて鳥獣忌避装置１が作動しレーザー光を照射する構成としてもよい。更に、センサーを設けて、センサーにより鳥獣の位置を把握し、レーザー光源装置２を回転等の移動をさせるための移動機構により、レーザー光源装置２を回転等の移動をさせて鳥獣方向へレーザー光を向けて照射する構成としてもよい。これらのセンサーはレーザー光源装置２に設置してもよいが、レーザー光源装置２とは離隔して設置してもよい。
【００４２】
尚、上記では、２個のレーザー光源装置を備えた鳥獣忌避装置１の実施の形態を説明したが、鳥獣忌避装置は、複数個のレーザー光源装置を備えて構成すればよく、２個に限定されず、３個以上を備えた構成でもよい。このような構成でも、追い払う対象の１個の鳥獣９に少なくとも二方向からレーザー光を照射することが可能となっている。３個以上のレーザー光源装置２は、夫々から放出されるレーザー光７が互いに交差又は平面視で互いに交差するように構成されている。レーザー光源装置を３個以上備えることにより、追い払う対象の１個の鳥獣９に二方向からレーザー光７を照射することが容易となる。レーザー光源装置を３個以上備える場合、夫々のレーザー光源装置の構成、レーザー光源の数、色等は上述の２個のレーザー光源装置を備えた構成を組み合わせて構成することが出来る。
【００４３】
このような鳥獣忌避装置１を用いた鳥獣忌避方法について説明する。鳥獣忌避装置１を使用する際には、操作者が鳥獣忌避装置１を両手で夫々レーザー光源装置２を持ち上げて使用してもよいが、地面や台等に設置してもよい。そして、２個のレーザー光源装置２を離隔した状態で、標的とする鳥獣９に２方向からレーザー光７を照射する。この際に、２方向からのレーザー光７が鳥獣９の片目を２方向から刺激することとしてもよいが、２方向からのレーザー光７でそれぞれ鳥獣９の別の目９１，９２を刺激することが好ましい。又、少なくとも太陽５等の光５０が当たっていない方の目９２にはレーザー光７を当てることが好ましい。又、太陽５等の光５０が当たっている方の目９１にレーザー光を当てる場合には、直接太陽５等の光５０が当たっていない目の部分９１１にレーザー光を当てることが好ましい。
【００４４】
又、標的とする鳥獣９にレーザー光７を照射する際には、少なくとも１方向からのレーザー光７は複数色のレーザー光７とすることが好ましい。又、異なる方向からのレーザー光７を異なる色とすることが好ましい。又、少なくとも一方のレーザー光源装置２が複数個のレーザー光源３を備える場合、異なる方向からのレーザー光７に異なる色を含ませることとすることが好ましい。又、少なくとも１方向からのレーザー光７は、レーザー光源３から発せられるレーザー光７を分割して、或いは複数のレーザー光源を用いて、複数のレーザー光７を標的とする鳥獣９に照射することが好ましい。更に、複数のレーザー光７の束７０を回転させながら鳥獣９に照射することやレーザー光源３から発せられるレーザー光７を点滅させることが好ましい。
【００４５】
３個以上のレーザー光源装置を備えた鳥獣忌避装置を使用する場合、標的とする鳥獣９に３方向以上からレーザー光７を照射することとなり、追い払う対象の１個の鳥獣９に二方向からレーザー光７を照射することが容易となり、標的とする鳥獣９の目への刺激がより強くなり、鳥獣９がレーザー光をより避けにくくなるので、鳥獣を追い払う効果が高くなる。
【００４６】
レーザー光源装置２が異なる色の複数個のレーザー光源を備える場合、鳥獣９への照射の際に、最初は１色、あまり追い払う効果が高くないようであれば、２色、更に３色というように、段階的に色数を増加させることとしてもよい。
【００４７】
本発明の鳥獣忌避方法によれば、鳥獣に繰り返し使用しても、鳥獣が慣れてしまい逃げなくなるということがなく、繰り返し行っても、鳥獣を追い払う効果が持続した。尚、図２〜３では鳥獣９を鳥として図示したが、図４に示すように、鳥以外の２つの目９３，９４を持つ、猪や鹿等の鳥以外の鳥獣９９に対しても本発明の使用による効果がある。
【産業上の利用可能性】
【００４８】
以上のような発明によれば、容易に鳥獣を追い払うことが出来るので、鳩等の鳥の糞害を防止することが出来、造船業や電車やバス等の運輸業、ビル等の不動産業において極めて有益に利用可能であり、又、猪や鹿等の動物による農作物や植林への被害を防止することが出来、農業や林業において極めて有益に利用可能である。
【符号の説明】
【００４９】
１      鳥獣忌避装置
２      レーザー光源装置
３      レーザー光源
５      太陽
５０    太陽光
７      レーザー光
９      鳥獣
【図１】
0006972092.tif 000002
【図２】
0006972092.tif 000003
【図３】
0006972092.tif 000004
【図４】
0006972092.tif 000005
【図５】
0006972092.tif 000006